(57)【要約】【課題】  本発明は、角度の異なる２つのプラテンに載置されたそれぞれのページを読み取ることができ、且つ安価でコンパクトな画像読取装置を提供することを目的とする。【解決手段】本発明の画像読取装置は、２つのプラテンを別個の光で照射して、プラテンを照射した光を別個の撮像素子で受光するのではなく、同じ撮像素子で受光する。別個の光は進行方向が異なるので、それぞれが同じ撮像素子に受光されるように、画像読取装置は、別個の光の進行方向を揃えて同じ撮像素子に導くための導光手段を備える。【選択図】  図２
2005244265.tif 000002
【特許請求の範囲】
【請求項１】
互いに向きの異なる２つのプラテンを備える画像読取装置と、
上記２つのプラテンをそれぞれ照射する２つの光源と、
上記各光源から発せられて、上記プラテンを照射した光を受光する撮像素子とを備えたことを特徴とする画像読取装置。
【請求項２】
一方のプラテンを照射した光を通過させ、他方のプラテンを照射した光を反射させて、それぞれの光を上記撮像素子に導く導光手段を備えた請求項１に記載の画像読取装置。
【請求項３】
上記２つの光源の発光を制御する発光制御手段と、
少なくとも一方の上記光源の発光状態に基づいて、上記導光手段を、一方のプラテンを照射した光と衝突しない位置に待避させる導光制御手段を備えた請求項２に記載の画像読取装置。
【請求項４】
上記導光手段は、半透鏡である請求項２に記載の画像読取装置。
【請求項５】
上記各プラテンに沿って移動する２つのフルレートキャリッジと、上記各フルレートキャリッジの移動に伴って各プラテンに沿って移動する２つのハーフレートキャリッジとを備え、
上記導光手段は、上記各プラテンに沿って移動するハーフレートキャリッジの移動範囲より他のプラテン側に設けられた請求項２に記載の画像読取装置。
【発明の詳細な説明】
【技術分野】
【０００１】
本発明は、スキャナ、ファクシミリ、複合機、複写機等の原稿を読み取る機能を備えた画像読取装置に関する。
【背景技術】
【０００２】
平らなプラテンの画像読取装置に綴じ部分のあるブック原稿を載置すると、綴じ部分がプラテンと密着せずに、プラテンから浮き上がってしまう。そのため、プラテンが平らな画像読取装置でブック原稿の読み取りを行うと、綴じ部分の画像データが実際よりも黒ずんだり、縮小されたものとなる。
【０００３】
綴じ部分も正確に読み取ることができるように、図６に示すように、向きの異なる２つのプラテン７００、８００を持った画像読取装置６００が、特開２０００−１６５６０８号公報に記載されている。プラテン７００、８００が異なる向きを向いているので、ブック原稿６０１を水平状態となるまで開かなくても、ブック原稿６０１の綴じ部分をプラテン７００、８００に密着させることができる。
【０００４】
上記公報の画像読取装置６００は、各プラテン７００、８００に載置された原稿を走査することができるように、各プラテン７００、８００に対してのスキャナユニット７１０、８１０を備えている。このスキャナユニット７１０、８１０は、各プラテン７００、８００の下方でプラテン７００、８００の副走査方向の全長分移動するフルレートキャリッジ７１１、８１１と、フルレートキャリッジ７１１、８１１の移動と連動して、フルレートキャリッジ７１１、８１１の半分の速度で移動するハーフレートキャリッジ７１２、８１２と、撮像素子７１３、８１３から構成される。
【０００５】
上記フルレートキャリッジ７１１、８１１は、プラテン７００、８００を照射することができる光源７１４、８１４と第１のミラー７１、８１を備えている。また、上記ハーフレートキャリッジ７１２、８１２は、第２のミラー７２、８２及び第３のミラー７３、８３を備えている。
【０００６】
上記プラテン７００、８００を走査する場合、上記公報の画像読取装置６００は、光源７１４、８１４を発光させて、フルレートキャリッジ７１１、８１１を所定の速度で、ハーフレートキャリッジ７１２、８１２をフルレートキャリッジ７１１、８１１の半分の速度でフルレートキャリッジと同じ方向に移動させる。光源７１４、８１４から発せられた光は、プラテン７００、８００を照射して、第１のミラー７１、８１、第２のミラー７２、８２、第３のミラー７３、８３で反射して、別々の撮像素子７１３、８１３に受光される。
【特許文献１】特開平２０００−１６５６０８号公報
【発明の開示】
【発明が解決しようとする課題】
【０００７】
しかし、２つスキャナユニット７１０、８１０を備えると、画像読取装置６００の製造コストが高くなり、また、２つのスキャナユニット７１０、８１０を収納するスペースを画像読取装置６００内に確保しなければならないために、画像読取装置６００が大きくなってしまう。
【０００８】
そこで、本発明は、角度の異なる２つのプラテンに載置されたそれぞれの原稿を読み取ることができ、且つ安価でコンパクトな画像読取装置を提供することを目的とする。
【課題を解決するための手段】
【０００９】
本発明の画像読取装置は、２つのプラテンを別個の光で照射して、各プラテンを照射した光を別個の撮像素子で受光するのではなく、同じ撮像素子で受光する。別個の光を同じ撮像素子で受光するために、画像読取装置は、別個の光を、同じ撮像素子に導くための導光手段を備える。
【００１０】
上記導光手段は、例えば半透鏡のように、一方の光を通過させ、他方の光を反射させることで、異なる方向から来た２つの光の進行方向を同じ方向にして、それぞれの光を１つの撮像素子に導光するものである。又、導光手段は、半透鏡に代えて、一方の光源が発光しているときは、この光源から発せられた光と衝突しない位置に待機してこの光を通過させ、他方の光源が発光しているときは、この光を反射できる位置で待機するような、移動可能なものであってもよい。
【発明の効果】
【００１１】
以上のように、２つのプラテンを照射した光を同じ撮像素子で受光するために、従来のように２つのプラテンに対応する２つの撮像素子を必要としないので、画像形成装置を安価に、且つコンパクトにすることができる。
【発明を実施するための最良の形態】
【００１２】
（実施の形態１）
図１は本実施の形態の画像読取装置１００の外観図である。画像読取装置１００は、前面に表示パネル１０３を具備した本体１０１と、この本体１０１の上面後方で回転自在に取り付けられた断面が略Ｌ字型のプラテンカバー１１２とを備える。上記本体１０１は、上面と側面とのコーナ部分１０２で連接された上面のプラテン２００と側面のプラテン３００を備える。このプラテン２００、３００は上記プラテンカバー１１２で開閉されるようになっている。
【００１３】
図２にプラテン２００、３００周辺の断面図を示す。図２に示すように、ブック原稿６０１の奇数ページ６０７、偶数ページ６０６を画像読取装置１００に読み取らせたい場合、ユーザは、ブック原稿６０１を開いて、綴じ部分をコーナ部分１０２に合わせて、奇数ページ６０７、偶数ページ６０６をプラテン２００、３００に載置する。ブック原稿６０１を載置すると、ユーザは、プラテンカバー１１２を閉じてブック原稿６０１に被せる。
【００１４】
プラテンカバー１１２を閉じると、ユーザは、表示パネル１０３の読取モード選択キー１０３ａを押下する。読取モード選択キー１０３ａが押下されると、上記画読取装置１００に備えられた図３に示す表示制御手段３３１は、図４に示すように複数のキーが表示されるモード選択画面を表示パネル１０３に表示する。ユーザは、モード選択画面が表示されると、ブック原稿モードキー４０１を押下して、スタートキー４０２を押下する。ブック原稿モードキー４０１が押下されて、スタートキー４０２が押下されると、上記表示制御手段３３１は、ブック原稿モードでの読み取りを読取制御手段３３２に指示する。
【００１５】
ブック原稿モードでの読み取りが指示されると、上記読取制御手段３３２は、プラテン２００とプラテン３００に対して順番に読み取りを行う。本実施の形態では、読み取りが行われる順序は、プラテン２００、プラテン３００の順とする。
【００１６】
ブック原稿モードでの読み取が指示されると、上記読取制御手段３３２は、まず、プラテン２００を照射するスキャナユニット２１０を制御する発光制御手段３３３にプラテン２００の照射を指示する。本実施の形態の画像読取装置１００は、スキャナユニット２１０と後述するスキャナユニット３１０との２つのスキャナユニットを備える。これらの２つのスキャナユニット２１０、３１０は、背景技術に記載したスキャナユニット７１０、８１０のようにフルレートキャリッジ２１１、３１１と、ハーフレートキャリッジ２１２、３１２を備えるが、撮像素子を備えていない。
【００１７】
プラテン２００の照射が指示されると、上記発光制御手段３３３は、プラテン２００に載置された奇数ページ６０７のサイズを検知する。上記発光制御手段３３３は、検知したサイズに基づいて、プラテン２００の奇数ページ６０７が載置されている領域を算出する。奇数ページ６０７が載置されている領域を算出すると、上記発光制御手段３３３は、奇数ページ６０７のコーナ部１０２と反対側の端部の位置Ｐａを算出する。位置Ｐａを算出すると、上記発光制御手段３３３は、光源２１４を発光させた状態で、位置Ｐａからコーナ部１０２に向ってフルレートキャリッジ２１１を移動させる。上記発光制御手段３３３は、フルレートキャリッジ２１１を移動させる際に、ハーフレートキャリッジ２１２をフルレートキャリッジ２１１の半分の速度で、フルレートキャリッジ２１１と同じ方向に移動させる。
【００１８】
上記光源２１４から発せられた光は、図２の実線で示すように、プラテン２００に載置された奇数ページ６０７にて反射して、フルレートキャリッジ２１１の第１のミラー２１、ハーフレートキャリッジ２１２の第２のミラー２２、第３のミラー２３で反射して、半透鏡で構成される導光手段Ｍを透過して、撮像素子Ｎに入射する。
【００１９】
このように導光手段Ｍには、上記ハーフレートキャリッジ２１２の第３のミラー２３にて反射して、進行方向がプラテン３００側となった光が透過するので、上記導光手段Ｍに第３のミラー２３にて反射した光が透過できるように、上記導光手段Ｍは、ハーフレートキャリッジ２１２の移動範囲よりも、プラテン３００側に設けられている。
【００２０】
フルレートキャリッジ２１１をコーナ部１０２まで移動させると、上記発光制御手段３３３は、プラテン２００の照射が終了した旨を上記読取制御手段３３２に通知する。
【００２１】
上記発光制御手段３３３からプラテン２００の照射が終了した旨が通知されると、上記読取制御手段３３２は、プラテン３００を照射するスキャナユニット３１０を制御する発光制御手段３３４にプラテン３００の照射を指示する。
【００２２】
プラテン３００の照射が指示されると、上記発光制御手段３３４は、プラテン３００に載置された偶数ページ６０６のサイズを検知する。上記発光制御手段３３４は、検知したサイズに基づいて、プラテン３００の偶数ページ６０６が載置されている部分を算出する。偶数ページ６０６が載置されている部分を算出すると、上記発光制御手段３３４は、偶数ページ６０６のコーナ部１０２と反対側の端部の位置Ｐｂを算出する。位置Ｐｂを算出すると、上記発光制御手段３３４は、光源３１４を発光させた状態で、コーナ部１０２から位置Ｐｂに向ってフルレートキャリッジ３１１を移動させる。フルレートキャリッジ３１１を移動させる際には、上記発光制御手段３３４は、ハーフレートキャリッジ３１２をフルレートキャリッジ３１１の半分の速度で、フルレートキャリッジ３１１と同じ方向に移動させる。
【００２３】
上記光源３１４から発せられた光は、図２の実線で示すように、プラテン３００に載置された偶数ページ６０６にて反射して、フルレートキャリッジ３１１の第１のミラー３１、ハーフレートキャリッジ３１２の第２のミラー３２、第３のミラー３３に導かれて、半透鏡の導光手段Ｍで反射して進行方向が撮像素子Ｎ向きに変更されて、撮像素子Ｎに入射する。
【００２４】
このように導光手段Ｍには、上記ハーフレートキャリッジ３１２の第３のミラー３３にて反射して、進行方向がプラテン２００側となった光が反射するので、上記導光手段Ｍに第３のミラー３３にて反射した光を反射できるように、上記導光手段Ｍは、ハーフレートキャリッジ３１２の移動範囲よりも、プラテン２００側に設けられている。
【００２５】
以上のように、向きの異なるプラテン２００、３００を照射したそれぞれの光の進行方向が異なっていても、導光手段Ｍが、それぞれの光の進行方向を一致させる。よって、異なるプラテン２００、３００を照射したそれぞれの光を、同じ撮像素子Ｎで受光することができる。
【００２６】
上記では、フルレートキャリッジ２１１を、位置Ｐａからコーナ部１０２に向って移動させているが、フルレートキャリッジ２１１の移動方向は、コーナ部１０２から位置Ｐａであってもよい。また、フルレートキャリッジ３１１を、コーナ部１０２から算出した位置Ｐｂに向って移動させているが、フルレートキャリッジ３１１の移動方向は、算出した位置Ｐｂからコーナ部１０２であってもよい。
【００２７】
また、図２では、プラテン２００、３００の向きが互いに９０度異なっているが、向きの異なる角度は、９０度に限定されるものではない。
【００２８】
（実施の形態２）
上記では導光手段Ｍに半透鏡を用いた場合について説明したが、導光手段Ｍは、半透鏡でなくてもよい。例えば、単なる鏡であっても良い。
【００２９】
導光手段Ｍに鏡を用いる場合、画像読取装置１００に、上記発光制御手段３３３、３３４が光源２１４、３１４を発光させているか否かに基づいて、光源２１４、３１４の発光状態を検知する導光制御手段３３５を備える。
【００３０】
上記導光制御手段３３５は、上記発光制御手段３３３によって光源２１４が発光していることを検知すると、図５に示すように、光源２１４の光路上から外れた待避位置に導光手段Ｍを移動させる。上記導光制御手段３３５は、光源２１４の発光が止んで、光源２１４が消灯したことを検知すると、上記導光手段Ｍを待避位置から元の位置に戻す。
【００３１】
このように、実施の形態１のように光源２１４から発せられた光を透過させる代わりに、本実施の形態では、導光手段Ｍが光源２１４から発せられた光と衝突しないような位置に移動して、光源２１４から発せられた光を通過させる。
【図面の簡単な説明】
【００３２】
【図１】画像読取装置の外観図。
【図２】画像読取装置のプラテン周辺の拡大断面図である。
【図３】画像読取装置の機能ブロック図である。
【図４】表示パネルの一例である。
【図５】画像読取装置のプラテン周辺の拡大断面図である。
【図６】向きの異なる２つのプラテンを備えた従来の画像読取装置のプラテン周辺の拡大図。
【符号の説明】
【００３３】
１００  画像処理装置
１０２  コーナ部
２００、３００  プラテン
２１４、３１４  光源
３３１  表示制御手段
３３２  読取制御手段
３３３、３３４  発光制御手段
３３５  導光制御手段
６０６  偶数ページ
６０７  奇数ページ
Ｍ  導光手段
Ｎ  撮像素子
【図１】
2005244265.tif 000003
【図２】
2005244265.tif 000004
【図３】
2005244265.tif 000005
【図４】
2005244265.tif 000006
【図５】
2005244265.tif 000007
【図６】
2005244265.tif 000008